(57)【要約】      （修正有）【課題】ＤＤＮＳサーバへのＩＰアドレス送信に障害があり、ＤＤＮＳサーバ内のＩＰアドレス更新処理がされず、以降のＤＮＳを用いたＩＰ通信ができない場合の対応を提供する。【解決手段】情報処理装置にＤＨＣＰサーバからの受信ＩＰアドレスの変化検知部、及び外部ＤＤＮＳサーバへ送るユーザ名、パスワード、サブドメイン名（ホスト名、ＵＲＬの一部）の記憶部、ＩＰアドレス登録更新要求部からなるＤＤＮＳクライアント処理部、外部ＤＤＮＳサーバへのＩＰアドレス登録更新要求の送信に障害があった場合、所定のメールアドレスにＩＰアドレスを通知するメール送信部、及びＦＴＰサーバにＩＰアドレスが書かれたファイルを転送するＦＴＰ転送部を設ける。さらに、ＤＤＮＳクライアント処理部の動作を制御する制御部を設ける。【選択図】        図１
2006171989.tif 000002
【特許請求の範囲】
【請求項１】
インターネットへの接続機能とサーバ機能、電子メール送信機能、及び所定のＤＨＣＰサーバからＩＰアドレスを受信した時に、外部のダイナミック・ドメイン・ネーム・サービスサーバに対して、自己の識別情報と前記受信したＩＰアドレスを送信する機能を有し、
インターネットを経由して与えられた配信要求に応じてサーバ内のデータを送信する情報処理装置において、
前記自己の識別情報と前記受信したＩＰアドレスの送信時に障害があった場合、前記ＩＰアドレスを記載した送信メールデータを生成するメール生成部を設け、
所定のメールアドレスに前記ＩＰアドレスを記載した電子メールを送信することを特徴とする情報処理装置。
【請求項２】
請求項１に記載の情報処理装置において、
所定のファイルをＦＴＰ転送するＦＴＰ転送部、前記自己の識別情報と前記受信したＩＰアドレスの送信時に障害があった場合、前記ＩＰアドレスを記載したファイルを生成するファイル生成部を設け、
所定のサーバに前記ＩＰアドレスを記載したファイルをＦＴＰ転送することを特徴とする情報処理装置。
【請求項３】
請求項２に記載の情報処理装置において、
前記自己の識別情報と前記受信したＩＰアドレスの送信時に障害があった場合、所定のメールアドレスに前記ＩＰアドレスを記載した電子メールを送信するか、所定のサーバに前記ＩＰアドレスを記載したファイルをＦＴＰ転送するかを設定する動作モード設定部、及び設定された動作モードを記憶する動作モード記憶部を設け、
設定された動作モードに従って、電子メールを送信、及びＦＴＰ転送することを特徴とする情報処理装置。
【請求項４】
請求項１から３のいずれかに記載の情報処理装置において、
撮像カメラで撮像された画像を、インターネットを経由して与えられた配信要求に応じて送信するカメラサーバ機能を設けたことを特徴とする情報処理装置。
【請求項５】
請求項１から４のいずれかに記載の情報処理装置において、
前記所定のＤＨＣＰサーバからＩＰアドレスを受信した時に、前記外部のダイナミック・ドメイン・ネーム・サービスサーバに対して、自己の識別情報と前記受信したＩＰアドレスを送信する機能の動作開始、及び停止の制御を行う制御部を設けたことを特徴とする情報処理装置。
【請求項６】
請求項５に記載の情報処理装置において、
前記制御部により、前記サーバ機能またはカメラサーバ機能が動作している時は、前記所定のＤＨＣＰサーバからＩＰアドレスを受信した時に、前記外部のダイナミック・ドメイン・ネーム・サービスサーバに対して、自己の識別情報と前記受信したＩＰアドレスを送信し、前記サーバ機能またはカメラサーバ機能が動作していない時は、前記自己の識別情報と前記受信したＩＰアドレスを送信しないことを特徴とする情報処理装置。
【請求項７】
請求項１から６のいずれかに記載の情報処理装置において、
前記サーバ機能はＷＥＢサーバ機能であることを特徴とする情報処理装置。
【請求項８】
請求項１から７のいずれかに記載の情報処理装置において、
公衆無線基地局と無線通信回線を介して通信する無線通信手段を設け、前記公衆無線基地局を経由してインターネットに接続することを特徴とする情報処理装置。
【発明の詳細な説明】
【技術分野】
【０００１】
本発明は、情報処理装置に関し、インターネットに接続する情報処理装置のＤＤＮＳ（ダイナミック・ドメイン・ネーム・サービス：以下ＤＤＮＳとする）サーバに対するＤＤＮＳクライアント処理機能に関する。
【背景技術】
【０００２】
近年、ブロードバンド回線の普及により、インターネットに接続する機能とＷＥＢサーバ等のサ−バ機能を有する情報処理装置が個人でも利用されるようになってきた。
【０００３】
ここで、ＷＥＢサーバ機能を使用する場合、外部のＰＣ等からのビューワでアクセスする時は、通常、ＤＮＳ（Ｄｏｍａｉｎ  Ｎａｍｅ  Ｓｅｒｖｅｒ）によるホスト名（ドメイン名）でＷＥＢサーバを指定してアクセスするのが一般的である。
【０００４】
この場合、ＤＮＳはホスト名（ドメイン名）とＩＰアドレスとの相互変換機能を提供する。
【０００５】
ここで、情報処理装置内のＷＥＢサーバがＴＣＰ／ＩＰ方式でＤＮＳにより、インターネットに接続する場合、一般的には情報処理装置内のＷＥＢサーバのＩＰアドレスはプロバイダーのＤＨＣＰサーバから動的に割り当てられる。
【０００６】
そのため、情報処理装置内のＷＥＢサーバのＩＰアドレスは頻繁に変更されるためにＷＥＢサーバとＩＰアドレスを一致させて運用することは極めて難しい。
【０００７】
これらの対応として、ＤＤＮＳ（ダイナミック・ドメイン・ネーム・サーバ）のサービスを利用することが考えられる。ＤＤＮＳは、ＩＰアドレスとサーバ名とをインターネット上で対応付けするように解決してくれるもので、頻繁にＩＰアドレスが変更になっても対応が可能である。
【０００８】
ところで、ＤＤＮＳを利用した情報処理装置の１つとして、カメラサーバである特許文献１がある。
【特許文献１】特開２００３−２３４４５号公報
【発明の開示】
【発明が解決しようとする課題】
【０００９】
しかしながら、ＤＤＮＳを利用した情報処理装置では自己のＩＰアドレスが割り当てられたさいに、ＩＰアドレス情報を更新する処理を行うが、この時に何らかの障害が発生してＩＰアドレス情報の更新が完了しなかった場合、ビューワからのアクセスに不具合が生じることがあった。
【００１０】
また、情報処理装置がＤＤＮＳを利用する必要のない動作モードの時でも、インターネットの接続処理時にＤＤＮＳサーバに対して必ずＩＰアドレス情報を更新する処理を行うために、例えば電子メール送信等を至急行いたい場合等にも無駄な処理時間を要してしまう事があった。
【００１１】
本発明は、以上の点に着目して成されたもので、信頼性向上が計れ、ＤＤＮＳクライアント処理が必要無い機能の処理時間を短縮させる情報処理装置を提供することを目的とする。
【課題を解決するための手段】
【００１２】
本発明は、請求項１の発明では、
インターネットへの接続機能とサーバ機能、電子メール送信機能、及び所定のＤＨＣＰサーバからＩＰアドレスを受信した時に、外部のＤＤＮＳ（ダイナミック・ドメイン・ネーム・サービス）サーバに対して、自己の識別情報と前記受信したＩＰアドレスを送信する機能を有し、
インターネットを経由して与えられた配信要求に応じてサーバ内のデータを送信する情報処理装置において、
前記自己の識別情報と前記受信したＩＰアドレスの送信時に障害があった場合、前記ＩＰアドレスを記載した送信メールデータを生成するメール生成部を設け、
所定のメールアドレスに前記ＩＰアドレスを記載した電子メールを送信するようにした。
【００１３】
請求項２の発明は、
請求項１に記載の情報処理装置において、
所定のファイルをＦＴＰ転送するＦＴＰ転送部、前記自己の識別情報と前記受信したＩＰアドレスの送信時に障害があった場合、前記ＩＰアドレスを記載したファイルを生成するファイル生成部を設け、
所定のサーバに前記ＩＰアドレスを記載したファイルをＦＴＰ転送するようにした。
【００１４】
請求項３の発明は、
請求項２に記載の情報処理装置において、
前記自己の識別情報と前記受信したＩＰアドレスの送信時に障害があった場合、所定のメールアドレスに前記ＩＰアドレスを記載した電子メールを送信するか、所定のサーバに前記ＩＰアドレスを記載したファイルをＦＴＰ転送するかを設定する動作モード設定部、及び設定された動作モードを記憶する動作モード記憶部を設け、
設定された動作モードに従って、電子メールを送信、及びＦＴＰ転送するようにした。
【００１５】
請求項４の発明は、
請求項１から３のいずれかに記載の情報処理装置において、
撮像カメラで撮像された画像を、インターネットを経由して与えられた配信要求に応じて送信するカメラサーバ機能を設けた。
【００１６】
請求項５の発明は、
請求項１から４のいずれかに記載の情報処理装置において、
前記所定のＤＨＣＰサーバからＩＰアドレスを受信した時に、前記外部のＤＤＮＳ（ダイナミック・ドメイン・ネーム・サービス）サーバに対して、自己の識別情報と前記受信したＩＰアドレスを送信する機能の動作開始、及び停止の制御を行う制御部を設けた。
【００１７】
請求項６の発明は、
請求項５に記載の情報処理装置において、
前記制御部により、前記サーバ機能またはカメラサーバ機能が動作している時は、前記所定のＤＨＣＰサーバからＩＰアドレスを受信した時に、前記外部のＤＤＮＳ（ダイナミック・ドメイン・ネーム・サービス）サーバに対して、自己の識別情報と前記受信したＩＰアドレスを送信し、前記サーバ機能またはカメラサーバ機能が動作していない時は、前記自己の識別情報と前記受信したＩＰアドレスを送信しないようにした。
【００１８】
請求項７の発明は
請求項１から６のいずれかに記載の情報処理装置において、
前記サーバ機能はＷＥＢサーバ機能であるようにした。
【００１９】
請求項８の発明は、
請求項１から７のいずれかに記載の情報処理装置において、
公衆無線基地局と無線通信回線を介して通信する無線通信手段を設け、前記公衆無線基地局を経由してインターネットに接続するようにした。
【発明の効果】
【００２０】
本発明によると、
インターネットへの接続機能とサーバ機能、電子メール送信機能、及び所定のＤＨＣＰサーバからＩＰアドレスを受信した時に、外部のＤＤＮＳ（ダイナミック・ドメイン・ネーム・サービス）サーバに対して、自己の識別情報と前記受信したＩＰアドレスを送信する機能を有し、
インターネットを経由して与えられた配信要求に応じてサーバ内のデータを送信する情報処理装置において、
前記自己の識別情報と前記受信したＩＰアドレスの送信時に障害があった場合、前記ＩＰアドレスを記載した送信メールデータを生成するメール生成部を設け、
所定のメールアドレスに前記ＩＰアドレスを記載した電子メールを送信するようにしたので、ＩＰアドレスの送信時に障害が発生しても、所定のメールアドレスの端末にＩＰがアドレスが送られるため、このＩＰアドレスを直接指定して情報処理装置にアクセスできる。
【００２１】
さらに、所定のファイルをＦＴＰ転送するＦＴＰ転送部、前記自己の識別情報と前記受信したＩＰアドレスの送信時に障害があった場合、前記ＩＰアドレスを記載したファイルを生成するファイル生成部を設け、
所定のサーバに前記ＩＰアドレスを記載したファイルをＦＴＰ転送するようにしたので、このファイルを参照することにより、ＩＰアドレスを直接指定して情報処理装置にアクセスできる。
【００２２】
さらに、前記自己の識別情報と前記受信したＩＰアドレスの送信時に障害があった場合、所定のメールアドレスに前記ＩＰアドレスを記載した電子メールを送信するか、所定のサーバに前記ＩＰアドレスを記載したファイルをＦＴＰ転送するかを設定する動作モード設定部、及び設定された動作モードを記憶する動作モード記憶部を設け、
設定された動作モードに従って、電子メールを送信、及びＦＴＰ転送するようにしたので、情報処理装置の管理者は適切に障害発生時でもアクセスできる。
【００２３】
また、撮像カメラで撮像された画像を、インターネットを経由して与えられた配信要求に応じて送信するカメラサーバ機能を設け、ＩＰアドレスの送信時に障害が発生してもカメラサーバにアクセスできる。
【００２４】
また、前記所定のＤＨＣＰサーバからＩＰアドレスを受信した時に、前記外部のＤＤＮＳ（ダイナミック・ドメイン・ネーム・サービス）サーバに対して、自己の識別情報と前記受信したＩＰアドレスを送信する機能の動作開始、及び停止の制御を行う制御部を設け、前記制御部により、前記サーバ機能またはカメラサーバ機能が動作している時は、前記所定のＤＨＣＰサーバからＩＰアドレスを受信した時に、前記外部のＤＤＮＳ（ダイナミック・ドメイン・ネーム・サービス）サーバに対して、自己の識別情報と前記受信したＩＰアドレスを送信し、前記サーバ機能またはカメラサーバ機能が動作していない時は、前記自己の識別情報と前記受信したＩＰアドレスを送信しないようにしたので、ＤＤＮＳサービスを必要としない動作モード時に、無駄な処理時間を無くすことができる。
【００２５】
また、公衆無線基地局と無線通信回線を介して通信する無線通信手段を設け、前記公衆無線基地局を経由してインターネットに接続するようにしたので、設置場所の制限を少なくし、設置を簡単にすることができる。
【００２６】
以上のような極めて優れた効果がある。
【発明を実施するための最良の形態】
【００２７】
以下本発明を実施するための最良の形態を、実施例により詳しく説明する。
【実施例】
【００２８】
図１は本発明を実施した情報処理装置として撮像カメラで撮像された画像を、インターネットを経由して与えられた配信要求に応じて送信する機能を持ち、有線で直接ネットワークに接続するネットワークカメラ装置と公衆無線通信回線を介してネットワークに接続する無線ネットワークカメラ装置を例にしたシステム構成図である。
【００２９】
本発明の実施例として、無線ネットワークカメラ装置の使用する公衆無線通信の無線媒体がＰＨＳ（パーソナル・ハンディホン・システム）の場合を例にして説明する。
【００３０】
図１において、１０１はインターネット、１０２はＩＳＰ（インターネットサービスプロバイダ）、１０３はＩＳＰ内にありＩＰアドレスの割り当てを行うＤＨＣＰ（ダイナミック・ホスト・コンフィギュレーション・プロトコル）サーバ、１０４はインターネットに接続されＩＰアドレスとサーバ名との対応付けを行うＤＤＮＳ（ダイナミック・ドメイン・ネーム・サービス）サーバ、１０５はインターネットに接続されたサーバ、１０６はＰＣ、１０７はネットワークカメラ装置、１０８は公衆無線網、１０９は公衆無線網に接続されている通信回線、１１０は通信回線１０９に接続され、無線ネットワークカメラ装置等の無線通信端末と無線通信を行う無線基地局、１１１は無線通信機能を持つ無線ネットワークカメラ装置である。
【００３１】
図２はネットワークカメラ装置１０７のブロック図である。
【００３２】
図２において、２０１はネットワークカメラ装置本体部、２０２はインターネットに接続するネットワーク、２０３はネットワークとのインターフェイスを行い、通信制御を行うネットワークインターフェイス部（ＮＷ  ＩＦ部）、２０４はレンズ、２０５はレンズに入力された撮像を画像入力信号として処理してデジタルの画像データに変換処理する画像入力処理部、２０６は画像データの圧縮処理を行う画像信号圧縮処理部、２０７は圧縮された画像データに対して各種画像処理を行う画像処理部である。
【００３３】
２０８は画像処理部２０７で処理された画像データを元にインターネットを経由して送られてきた画像データの配信要求に応じて、静止画、及び動画の画像データを送信する処理を行うカメラサーバ部、２０９はＩＳＰ１０２内のＤＨＣＰサーバ１０３からＩＰアドレスを受信した時に、ＤＤＮＳサーバ１０４に対して、自己の識別情報と受信したＩＰアドレスを送信する処理を行うＤＤＮＳクライアント処理部、２１０はＤＤＮＳクライアント処理部２０９で自己の識別情報と受信したＩＰアドレスを送信する処理の実行中に障害が発生した場合、所定のメールアドレスに対して受信したＩＰアドレスを記載したメールデータを生成して、電子メールを送信するメール処理部である。
【００３４】
２１１は同様にＤＤＮＳクライアント処理部２０９で自己の識別情報と受信したＩＰアドレスを送信する処理の実行中に障害が発生した場合、受信したＩＰアドレスを記載したファイルを生成して、インターネットに接続されたサーバ１０５に生成したファイルをＦＴＰ転送するＦＴＰ転送処理部、２１２は前記ＤＤＮＳクライアント処理部２０９での処理実行中に障害発生時に、メール処理部２１０での処理を実行させるか、ＦＴＰ転送処理部２１１の処理を実行させるかの動作モード設定の処理を行う動作モード設定部、２１３は動作モード設定部２１２で設定された情報を記憶する動作モード記憶部である。
【００３５】
２１４はＷＥＢサーバの処理を行うＷＥＢサーバ部、２１５はＤＤＮＳクライアント処理部２０９の動作の開始、及び停止の制御、カメラサーバ部２０８、ＷＥＢサーバ部２１４の動作状態に応じたＤＤＮＳクライアント処理部２０９に対する制御、及び各種制御処理を行う制御部、２１６は各種の設定等を行う操作部、２１７は各種の表示を行う表示部である。
【００３６】
図３は無線ネットワークカメラ装置１１１のブロック図である。
【００３７】
図３は図２のネットワークカメラ装置ブロック図において、ＮＷ  ＩＦ部２０３の部分が無線通信部を構成するようになっている。
【００３８】
図３において、３０１はネットワークカメラ装置本体部、３０２は電波を送受信するアンテナ３０３は送受信を行うＲＦ部、３０４は送信データの変調及び、受信データの復調を行う変復調部、３０５はＰＨＳ通信のレイヤ１からレイヤ３までの送信信号処理を行う送信処理部、３０６はＰＨＳ通信のレイヤ１からレイヤ３までの受信信号処理を行う受信処理部、３０７はＰＨＳ通信においてデータ通信を行うさいのデータの誤り検出、再送処理を行うＰＩＡＦＳ処理部、３０８はレンズである。
【００３９】
３０９はレンズに入力された撮像を画像入力信号として処理してデジタルの画像データに変換処理する画像入力処理部、３１０は画像データの圧縮処理を行う画像信号圧縮処理部、３１１は圧縮された画像データに対して各種画像処理を行う画像処理部、３１２は画像処理部３１１で処理された画像データを元にインターネットを経由して送られてきた画像データの配信要求に応じて、静止画、及び動画の画像データを送信する処理を行うカメラサーバ部である。
【００４０】
３１３はＩＳＰ１０２内のＤＨＣＰサーバ１０３からＩＰアドレスを受信した時、ＤＤＮＳサーバ１０４に対して、自己の識別情報と受信したＩＰアドレスを送信する処理を行うＤＤＮＳクライアント処理部、３１４はＤＤＮＳクライアント処理部２０９で自己の識別情報と受信したＩＰアドレスを送信する処理の実行中に障害が発生した場合、所定のメールアドレスに対して受信したＩＰアドレスを記載したメールデータを生成して、電子メールを送信するメール処理部、３１５は同様にＤＤＮＳクライアント処理部２０９で自己の識別情報と受信したＩＰアドレスを送信する処理の実行中に障害が発生した場合、受信したＩＰアドレスを記載したファイルを生成して、インターネットに接続されたサーバ１０５に生成したファイルをＦＴＰ転送するＦＴＰ転送処理部である。
【００４１】
３１６は前記ＤＤＮＳクライアント処理部３１３での処理実行中に障害発生時に、メール処理部３１４での処理を実行させるか、ＦＴＰ転送処理部３１５の処理を実行させるかの動作モード設定の処理を行う動作モード設定部、３１７は動作モード設定部３１６で設定された情報を記憶する動作モード記憶部、３１８はＷＥＢサーバの処理を行うＷＥＢサーバ部、３１９はＤＤＮＳクライアント処理部２０９の動作の開始、及び停止の制御、カメラサーバ部３１２、ＷＥＢサーバ部３１８の動作状態に応じたＤＤＮＳクライアント処理部３１３に対する制御、及び各種制御処理を行う制御部、３２０は各種の設定等を行う操作部、３２１は各種の表示を行う表示部である。
【００４２】
次に本発明の実施例の動作について説明する。
【００４３】
尚、説明は図３のブロック図における無線ネットワークカメラ装置の場合を例にして行う。
【００４４】
図４は、本発明の実施例を説明するための動作フロー図である。
【００４５】
尚、ここでは、各種設定はあらかじめ設定されているとして説明する。
【００４６】
操作部３２０により、ＩＳＰ１０２に対してダイヤルアップ接続の発呼操作を行う（ＳＴ４０１）。
【００４７】
無線通信回線が接続され、ＩＳＰ１０２との接続が完了して（ＳＴ４０２）、ユーザ名とパスワードによる認証が完了したら（ＳＴ４０３）、ＩＳＰ１０２にあるＤＨＣＰサーバ１０５がＩＰアドレスの割り当て処理を行い（ＳＴ４０４）、無線ネットワークカメラ装置１１１は割り当てられたＩＰアドレスを受信する（ＳＴ４０５）。
【００４８】
ここで、制御部３１９はカメラサーバ部３１２、ＷＥＢサーバ部３１８が動作しているかを調べる（ＳＴ４０６）。
【００４９】
動作していない場合はＤＤＮＳクライアント処理部３１３の動作を停止させるように制御して、以後インターネットへの接続が行われる（ＳＴ４０７）。
【００５０】
動作している場合は、インターネットへの接続後、ＤＤＮＳクライアント処理部３１３の動作を開始するように制御する（ＳＴ４０８）。
【００５１】
ここで、ＤＤＮＳクライアント処理部はＲＦＣ（Ｒｅｑｕｅｓｔ  Ｆｏｒ  Ｃｏｍｍｅｎｔｓ）２１３６に準拠したＤｙｎａｍｉｃ  Ｕｐｄａｔｅ  ＤＮＳ機能の処理を行うものである。
【００５２】
次に、ＤＤＮＳサーバ１０４に接続して、予め登録してあるユーザ名、パスワード等による認証処理を行う（ＳＴ４０９）。
【００５３】
ここで認証処理に障害があった場合は障害時の処理に移る。認証処理が完了したら、同様に予め登録してあるホスト名等の自己の識別情報と共に受信したＩＰアドレスを送信する（ＳＴ４１０）。
【００５４】
そして、ＤＤＮＳサーバ１０４から登録完了のメッセージを受信したら（ＳＴ４１１）、ＤＤＮＳサーバ１０４との接続を切断する（ＳＴ４１２）。
【００５５】
ここで、所定時間内に登録完了のメッセージを受信できなかったら、再度、ホスト名等の自己の識別情報と共に受信したＩＰアドレスを送信して、登録完了のメッセージを受信するまで、リトライ動作を所定回数行う（ＳＴ４１３）。
【００５６】
所定の回数、リトライ動作をしても登録完了のメッセージを受信できない場合は障害時の処理に移る（ＳＴ４１４）。
【００５７】
ここで、制御部３１９は動作モード記憶部３１７に記憶された情報を読み出す（ＳＴ４１５）。
【００５８】
そして、電子メールでの処理に設定されている場合は（ＳＴ４１６）、メール処理部３１４に処理開始の指示を出す。メール処理部３１４は受信したＩＰアドレスを記載したメールデータを生成する（ＳＴ４１７）。
【００５９】
そして、予め設定されたアドレスに電子メール送信を行う（ＳＴ４１８）。
【００６０】
ＦＴＰによるファイル転送に設定されている場合は、ＦＴＰ転送処理部３１５に処理開始の指示を出す。ＦＴＰ転送処理部３１５は受信したＩＰアドレスを記載したファイルを生成する（ＳＴ４１９）。
【００６１】
そして、サーバ１０５の所定の領域に対して、生成したファイルをＦＴＰ転送する（ＳＴ４２０）。
【００６２】
このように、受信したＩＰアドレスを記載した電子メール、またはファイルを見ることにより、ＤＤＮＳサーバによるサービスを正常に受けられない場合でも、ＩＰアドレスを直接指定することにより、遠隔地から無線ネットワークカメラのカメラサーバ、ＷＥＢサーバにアクセスすることができる。
【００６３】
［他の実施例］
上記実施例では、無線通信の媒体としてＰＨＳを用いたが、他の無線通信の媒体でも全く同様な動作ができ、同様な効果がある。
【図面の簡単な説明】
【００６４】
【図１】本発明を実施したシステムの構成図
【図２】ネットワークカメラ装置のブロック図
【図３】無線ネットワークカメラ装置のブロック図
【図４】本発明の実施例を説明するための動作フロー図
【符号の説明】
【００６５】
１０１  インターネット
１０２  ＩＳＰ（インターネットサービスプロバイダ）
１０３  ＤＨＣＰ（ダイナミック・ホスト・コンフィギュレーション・プロトコル）サーバ
１０４  ＤＤＮＳ（ダイナミック・ドメイン・ネーム・サービス）サーバ
１０５  サーバ
１０６  ＰＣ
１０７  ネットワークカメラ装置
１０８  公衆無線網
１０９  通信回線
１１０  無線基地局
１１１  無線ネットワークカメラ装置
２０１  ネットワークカメラ装置本体部
２０２  ネットワーク
２０３  ネットワークインターフェイス部（ＮＷ  ＩＦ部）
２０４  レンズ
２０５  画像入力処理部
２０６  画像信号圧縮処理部
２０７  画像処理部
２０８  カメラサーバ部
２０９  ＤＤＮＳクライアント処理部
２１０  メール処理部
２１１  ＦＴＰ転送処理部
２１２  動作モード設定部
２１３  動作モード記憶部
２１４  ＷＥＢサーバ部
２１５  制御部
２１６  操作部
３０１  無線ネットワークカメラ装置本体部
３０２  アンテナ
３０３  ＲＦ部
３０４  変復調部
３０５  送信処理部
３０６  受信処理部
３０７  ＰＩＡＦＳ処理部
３０８  レンズ
３０９  画像入力処理部
３１０  画像信号圧縮処理部
３１１  画像処理部
３１２  カメラサーバ部
３１３  ＤＤＮＳクライアント処理部
３１４  メール処理部
３１５  ＦＴＰ転送処理部
３１６  動作モード設定部
３１７  動作モード記憶部
３１８  ＷＥＢサーバ部
３１９  制御部
３２０  操作部
３２１  表示部
【図１】
2006171989.tif 000003
【図２】
2006171989.tif 000004
【図３】
2006171989.tif 000005
【図４】
2006171989.tif 000006